(57)【要約】【課題】ダンパを冷蔵室ダクト内に気密に組み込み可能とした冷蔵庫の提供。【解決手段】冷蔵室を構成する内箱背面壁にダクトカバー２３１を装着してこれら両者間に冷蔵室ダクト２３を構成し、この冷蔵室ダクトを構成するダクトカバーの前記内箱背面壁側の一部にダンパカバー２３３を装着し、このダンパカバー２３３とダクトカバー２３１との間にダンパを組み込んだ構成としてある。これにより、ダンパは内箱背面壁とダクトカバーとによって形成される冷蔵室ダクト内でさらにダンパカバーによって覆われ、このダンパカバーがダクトカバーの一部に装着した小さなものであるから大面積の内箱背面壁のようなひねりやひずみ等の変形を起こすことがないので、ダンパを気密状態に保持することができる。したがって、このダンパ部分での冷気漏れを確実に防止することができる。【選択図】図１１
2015055363.tif 000002
【特許請求の範囲】
【請求項１】
冷蔵室、冷凍室、野菜室等を配置した冷蔵庫本体と、前記冷蔵室、冷凍室、野菜室等に供給する冷気を生成する冷却室と、前記冷却室からの冷気を前記野菜室、冷蔵室へと案内するダクトと、前記ダクトに設けたダンパとを備えた冷蔵庫であって、前記冷蔵庫本体の冷蔵室を構成する内箱背面壁にダクトカバーを装着してこれら両者間に冷蔵室ダクトを形成し、この冷蔵室ダクトを構成するダクトカバーの前記内箱背面壁側の一部にダンパカバーを装着し、このダンパカバーとダクトカバーとの間にダンパを組み込んだ冷蔵庫。
【請求項２】
ダンパカバーはダクトカバーのダクト入口部に装着し、ダンパカバーとダクトカバーとでダクト入口部を形成して、当該ダクト入口部にダンパを組み込んだ請求項１記載の冷蔵庫。
【請求項３】
内箱背面壁とダンパカバーとの間の少なくともダクト入口側をシール材によってシールした請求項１または２記載の冷蔵庫。
【請求項４】
冷蔵室ダクトの横に冷蔵室冷気戻り流路を並設し、この冷蔵室冷気戻り流路と前記冷蔵室ダクトとの間をシール材でシールした請求項１〜３のいずれか１項記載の冷蔵庫。
【請求項５】
冷蔵室ダクト内に設けたダンパは冷蔵室を仕切形成する仕切板の上方に位置させるとともに、前記仕切板の背部には他のダンパを組み込み、このダンパと冷蔵室ダクト内のダンパとはその一部が上下方向でオーバーラップするように配置したことを特徴とする請求項１〜４のいずれか１項記載の冷蔵庫。
【発明の詳細な説明】
【技術分野】
【０００１】
本発明は複数のダンパを備えた冷蔵庫に関するものである。
【背景技術】
【０００２】
一般に冷蔵庫は、冷蔵庫本体背面の冷却室で冷気を生成し、その冷気を送風機によって冷蔵室、冷凍室、野菜室等に循環させて各室内の食品を冷却するが、その際、冷蔵室、野菜室、冷凍室等に供給する冷気をダンパで制御するようになっている。
【０００３】
このダンパは冷気を冷蔵室、冷凍室、野菜室等各室に供給するダクトの一部に組み込んである（例えば、特許文献１参照）。
【０００４】
図１４は特許文献１に記載されている冷蔵庫のダクト装着構成を示し、この構成ではダンパ装置１０１は上部ダクト部材１０２と下部ダクト部材１０３との間に挟み込んで装着してある（例えば、特許文献１参照）。
【０００５】
ところが最近の冷蔵庫は省エネ性を強く求められているところから、前記各冷蔵室、野菜室、冷凍室の冷却効率を高めるべくそれぞれに対応させてダンパを設ける必要が出てきている。特に最近の冷蔵庫では上記冷蔵室、野菜室、冷凍室に加え冷蔵室内に温度帯を変更できるパーシャル室等の新たな貯蔵室を設ける等、貯蔵室の数が増えてきているところから、ダンパの数も増加しており、ダンパを一か所に設けることが困難になってきている。
【先行技術文献】
【特許文献】
【０００６】
【特許文献１】特開２０１１−１４９６８０号公報
【発明の概要】
【発明が解決しようとする課題】
【０００７】
そこで発明者らは冷蔵室背面の冷蔵室ダクトを利用してこの冷蔵室ダクト内に新たにダンパを組み込むことを考えた。
【０００８】
しかしながら、上記冷蔵室ダクトは冷蔵室を構成する内箱背面部分にダクトカバーを装着して構成するのであるが、内箱及びダクトカバーが共に薄い合成樹脂板からなっていて、特に内箱背面は大きな面積を有しているので、ひねりやひずみ等で変形しやすく、ダンパを気密的に装着することが困難であった。そのため冷気漏れが生じ、ダンパを増設したのにもかかわらずそれに見合うレベルの冷却効率の向上が得られないという課題に直面した。
【０００９】
本発明はこのような点に鑑みてなしたもので、ダンパを冷蔵室ダクト内に気密に組み込み可能とした冷蔵庫を提供するものである。
【課題を解決するための手段】
【００１０】
本発明は、上記目的を達成するため、冷蔵室を構成する内箱背面壁にダクトカバーを装着してこれら両者間に冷蔵室ダクトを構成し、この冷蔵室ダクトを構成するダクトカバーの前記内箱背面壁側の一部にダンパカバーを装着し、このダンパカバーとダクトカバーとの間にダンパを組み込んだ構成としてある。
【００１１】
これにより、ダンパは冷蔵室ダクト内でダクトカバーに装着したダンパカバーによって覆われ、このダンパカバーがダクトカバーの一部に装着した小さなものであるから大面積の内箱背面壁のようなひねりやひずみ等の変形を起こすことがないので、ダンパを気密状態に保持することができる。したがって、このダンパ部分での冷気漏れを確実に防止することができる。
【発明の効果】
【００１２】
本発明は、ダンパを冷蔵室ダクト内に気密に組み込むことができて冷気漏れを防止でき、冷却効率の高い冷蔵庫を提供することができる。
【図面の簡単な説明】
【００１３】
【図１】本発明の実施の形態１における冷蔵庫の正面図
【図２】同図１のＡ−Ａ概略断面図
【図３】同実施の形態１における冷蔵庫の冷気ダクト配置構成を示す説明図
【図４】同実施の形態１における冷蔵庫の冷蔵室内要部を示す分解斜視図
【図５】同実施の形態１における冷蔵庫の冷蔵室ダクトおよび野菜室ダクトが貫通する仕切板の斜視図
【図６】同図５における仕切板の分解斜視図
【図７】同図６における仕切板の要部を拡大して示す分解斜視図
【図８】同実施の形態１における冷蔵庫の冷蔵室ダクトの正面図
【図９】同実施の形態１における冷蔵庫の冷蔵室ダクトの内面側を示す斜視図
【図１０】同実施の形態１における冷蔵庫の冷蔵室ダクトの分解斜視図
【図１１】同実施の形態１における冷蔵庫の冷蔵室ダクトの冷蔵室ダンパ及びダンパカバー装着前の分解斜視図
【図１２】同実施の形態１における冷蔵庫の冷蔵室ダンパとダンパカバーを示す拡大斜視図
【図１３】同実施の形態１における冷蔵庫の冷気流れと冷蔵室ダンパ及び野菜室ダンパの位置関係を示す説明図
【図１４】従来の冷蔵庫におけるダンパ設置部分の分解斜視図
【発明を実施するための形態】
【００１４】
第１の発明は、冷蔵室、冷凍室、野菜室等を配置した冷蔵庫本体と、前記冷蔵室、冷凍室、野菜室等に供給する冷気を生成する冷却室と、前記冷却室からの冷気を前記野菜室、冷蔵室へと案内するダクトと、前記ダクトに設けたダンパとを備えた冷蔵庫であって、前記冷蔵庫本体の冷蔵室を構成する内箱背面壁にダクトカバーを装着してこれら両者間に冷蔵室ダクトを形成し、この冷蔵室ダクトを構成するダクトカバーの前記内箱背面壁側の一部にダンパカバーを装着し、このダンパカバーとダクトカバーとの間にダンパを組み込んだ構成としてある。
【００１５】
これにより、ダンパは冷蔵室ダクト内でダクトカバーに装着したダンパカバーによって覆われ、このダンパカバーがダクトカバーの一部に装着した小さなものであるから大面積の内箱背面壁のようなひねりやひずみ等の変形を起こすことがないので、ダンパを気密状態に保持することができる。したがって、このダンパ部分での冷気漏れを確実に防止することができる。
【００１６】
第２の発明は、第１の発明において、前記ダンパカバーはダクトカバーの端部に装着し、ダンパカバーとダクトカバーとでダクト入口部を形成して、当該ダクト入口部にダンパを組み込んだ構成としてある。
【００１７】
これにより、ダンパは冷却室から供給されてきた冷気の入口部分で冷気開閉制御を行う
ことになり、冷気入口部手前からの冷気漏れを防止することができる。
【００１８】
第３の発明は、第１または第２の発明において、前記内箱背面壁とダンパカバーとの間の少なくともダクト入口側はシール材によってシールした構成としてある。
【００１９】
これにより、冷気入口部手前から内箱背面壁とダンパカバーとの間に冷気が漏出するのを防止でき、より確実な冷気漏れ防止が実現できる。
【００２０】
第４の発明は、第１〜第３の発明において、前記蔵室ダクトの横に冷蔵室冷気戻り流路を並設し、この冷蔵室冷気戻り流路と前記冷蔵室ダクトとの間をシール材でシールした構成としてある。
【００２１】
これにより、冷蔵室冷気戻り流路からの比較的温度の高い冷気が冷蔵室ダクト内に混入したり、ダンパカバーと内箱背面壁との間に流れ込んで結露を起こしたりすることを防止でき、信頼性の高いものとすることができる。
【００２２】
第５の発明は、第１〜第４の発明において、冷蔵室ダクト内に設けたダンパは冷蔵室を仕切形成する仕切板の上方に位置させるとともに、前記仕切板の背部には他のダンパを組み込み、このダンパと冷蔵室ダクト内のダンパとはその一部が上下方向でオーバーラップするように配置した構成としてある。
【００２３】
これにより、複数のダンパを集中的に配置して構成の合理化を図ることができると同時に、複数のダンパを冷蔵室横幅内という限られたスペースに配置してもオーバーラップさせた分ダクト通路面積を確保して良好な冷却性能を維持することができる。
【００２４】
以下、本発明の実施の形態について、図面を参照しながら説明する。なお、この実施の形態によって本発明が限定されるものではない。
【００２５】
（実施の形態１）
図１は本発明の実施の形態１における冷蔵庫の正面図、図２は同図１のＡ−Ａ概略断面図、図３は同実施の形態１における冷蔵庫の冷気ダクト配置構成を示す説明図である。
【００２６】
図１〜図３において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とから構成されており、仕切板によって複数の貯蔵室が形成されている。また、前記冷蔵庫本体１の各貯蔵室は冷蔵庫本体１と同様の断熱構成を採用した回動式或いは引出し式の扉５、６、７で開閉自在となっている。
【００２７】
冷蔵庫本体１内に形成された貯蔵室は、最上部の冷蔵室８と、冷蔵室８の下に設けられた温度帯切り替え可能な切替室９と、切替室９の横に設けられた製氷室１０と、切替室９および製氷室１０と最下部の野菜室１１との間に設けられた冷凍室１２で構成されている。そして、前記冷蔵室８にはその下部にパーシャル室８ａが形成されている。
【００２８】
冷凍室１２の背面には冷却室１４があり、冷気を生成する冷却器１５と、冷気を各室に供給する冷気送風ファン１６とを有し、冷却器１５下方にはさらに除霜手段１７が設置されている。
【００２９】
冷却器１５は、圧縮機１８と、コンデンサ（図示せず）と、放熱用の放熱パイプ（図示せず）と、キャピラリーチューブ（図示せず）とを環状に接続してなる冷凍サイクルを構成しており、圧縮機１８によって圧縮された冷媒の循環によって冷却を行う。
【００３０】
冷却室１４によって生成した冷気は、前記冷却室１４を形成する区画壁２０に設けた冷凍冷気供給口２１と冷凍室ダンパ２２を介して冷凍室１２及び製氷室１０とその横の切替室９に供給されるとともに、図３に示す冷蔵室ダクト２３及び冷蔵室ダクト２３の途中から分岐した野菜室ダクト２４を介して冷蔵室８及び野菜室１１に供給される。
【００３１】
冷蔵室ダクト２３は、冷却室１４から冷蔵室８に向けて上向きに形成され、冷蔵室８と製氷室１０及びその横の切替室９との間を仕切る仕切板２５を貫通して冷蔵室８背面に設けられるとともに、仕切板２５貫通部分で野菜室ダクト２４が分岐されている。そして、さらに冷蔵室ダクト２３には冷蔵室用冷気吹出し口２３ａとパーシャル室用冷気吹出し口２３ｂが形成されている。
【００３２】
また、野菜室ダクト２４は前記分岐部から野菜室１１に向け下向きに形成され、冷凍室１２背面の冷却室１４横を通って野菜室１１の背面に開口２４ａしている。
【００３３】
次にダクト構成について図４〜図１３を用いて説明する。
【００３４】
図４は同実施の形態１における冷蔵庫の冷蔵室内要部を示す分解斜視図、図５は同実施の形態１における冷蔵庫の冷蔵室ダクトおよび野菜室ダクトが貫通する仕切板の斜視図、図６は同図５における仕切板の分解斜視図、図７は同図６における仕切板の要部を拡大して示す分解斜視図、図８は同実施の形態１における冷蔵庫の冷蔵室ダクトの正面図、図９は同実施の形態１における冷蔵庫の冷蔵室ダクトの内面側を示す斜視図、図１０は同実施の形態１における冷蔵庫の冷蔵室ダクトの分解斜視図、図１１は同実施の形態１における冷蔵庫の冷蔵室ダクトの冷蔵室ダンパ及びダクトカバー装着前の分解斜視図、図１２は同実施の形態１における冷蔵庫の冷蔵室ダンパとダクトカバーを示す拡大斜視図、図１３は同実施の形態１における冷蔵庫の冷気流れと冷蔵室ダンパ及び野菜室ダンパの位置関係を示す説明図である。
【００３５】
図４〜図１３において、前記した冷蔵室ダクト２３と野菜室ダクト２４は仕切板２５背部に設けた分岐ユニット２６によって分岐されている。この分岐ユニット２６は、図７に示す様に、冷蔵室ダクト部２７と野菜室ダクト部２８ならびに冷蔵室冷気戻りダクト部２９を有し、前記野菜室ダクト部２８内に野菜室ダンパ３０を組み込んでその上方から蓋体３１を装着し野菜室ダクト部２８を閉塞してユニット化してある。
【００３６】
このユニット化した状態の分岐ユニット２６は、図６に示すように前記仕切板２５の下板３２と上板３３との間に挟み込んで下板３２と上板３３との間に発泡断熱材を充填発泡させ仕切板２５の後部に一体化してある。
【００３７】
分岐ユニット２６に設けた冷蔵室ダクト部２７は、その上端開口部分に冷蔵室ダンパ３４を介して冷蔵室背面の冷蔵室ダクト２３に接続するとともに、冷蔵室冷気戻りダクト部２９は図３に示す冷凍室１２背面の野菜室ダクト２４横に設けた冷蔵室戻りダクト３５に接続してあり、冷却室１４で生成された冷気が冷蔵室ダンパ３４、冷蔵室ダクト２３、冷蔵室８、冷蔵室戻りダクト３５を介して循環するようになっている。
【００３８】
ここで、上記冷蔵室ダクト２３は図４に示す様に冷蔵室８を構成する内箱３の背面壁３ａにダクトカバー２３１を装着してこれら両者間に形成し、この内箱３の背面壁３ａとダクトカバー２３１との間に冷蔵室ダンパ３４を組み込んでいる。すなわち、ダクトカバー２３１は内箱背面壁側に位置するダクトカバー主板２３１ａと冷蔵室内部側に面することになるダクトカバー表面板２３１ｂとからなっていて、図１０、図１１に示す様にダクトカバー主板２３１ａの両側凸条部２３２が内箱３の背面壁３ａに当接してこれらの間に冷
蔵室ダクト２３を形成している。そして、前記ダクトカバー主板２３１ａの下部の両側凸条部２３２間に冷蔵室ダンパ３４を組み込み、この冷蔵室ダンパ３４の前記内箱背面壁側から前記ダクトカバー主板２３１ａの両側凸条部２３２に硬質合成樹脂で形成したダンパカバー２３３を嵌めこみ装着してあり、これにより前記冷蔵室ダンパ３４は冷蔵室ダクト２３内のダンパカバー２３３で気密状態に覆われて取り付け固定される。
【００３９】
上記ダンパカバー２３３は前記ダクトカバー主板２３１ａの下端部に装着し、当該ダンパカバー２３３とダクトカバー主板２３１ａとでダクト入口部２３４を形成し、当該ダクト入口部２３４にダンパを組み込んだ形となっており、このダクト入口部２３４を前記仕切板２５の冷蔵室ダクト部２７の上端開口部に接続部シールパッキン２３５を介して接続してある。加えてこのダクト入口側のダンパカバー２３３と内箱背面壁３ａとの間にカバー入口側シールパッキン２３６を装着してある。
【００４０】
また、前記冷蔵室ダクト２３を構成する部材のうち、ダクトカバー表面板２３１ｂはダクトカバー主板２３１ａを覆うように内箱背面壁３ａに装着して冷蔵室ダクト２３の横の内箱背面壁３ａとの間に冷蔵室冷気戻り流路２９ａを形成している。
【００４１】
そして、冷蔵室冷気戻り流路２９ａと冷蔵室ダクト２３との間、すなわち、前記ダンパカバー２３３のダクト入口側から前記ダクトカバー主板２３１ａの凸条部２３２に沿って戻り冷気漏出防止シールパッキン２３７を設けるとともに、ダンパカバー２３３の上端縁に沿ってさらにカバー出口側シールパッキン２３８を装着してある。
【００４２】
なお、前記カバー入口側シールパッキン２３６、戻り冷気漏出防止シールパッキン２３７は一つの連続体として形成してあるが、別々のものであってもよい。
【００４３】
一方、前記冷蔵室ダンパ３４は、図１２に示すように冷蔵室ダンパ部３４ａの横にパーシャル室用冷気吹出し口２３ｂを開閉するパーシャル室ダンパ部３４ｂを設けたツインダンパとなっており、パーシャル室８ａへの冷気をこのパーシャル室ダンパ部３４ｂで開閉制御するようになっている。そして、この冷蔵室ダンパ３４の前記ダクトカバー２３１及びダクトカバー主板２３１ａの内面と接する部分には外周パッキン３４ｃが装着してある。
【００４４】
なお、前記分岐ユニット２６に設けた野菜室ダクト部２８は図３に示す下向きの野菜室ダクト２４に接続し、冷却室１４で生成された冷気が前記冷蔵室ダクト２３の上向き部分から分岐し野菜室ダンパ３０を介して下向きの野菜室ダクト２４下部より野菜室１１に供給されるようになっている。
【００４５】
以上のように構成された本実施の形態における冷蔵庫は、食品の出し入れ等により冷蔵室８、冷凍室１２、野菜室１１のいずれかが設定温度より高くなると、圧縮機１８と冷気送風ファン１６が駆動し、冷却器１５で生成された冷気が、冷気送風ファン１６により、冷蔵室ダクト２３、冷凍冷気供給口２１、野菜室ダクト２４に供給される。
【００４６】
設定温度以上となっている貯蔵室が、例えば冷蔵室８であれば、冷蔵室ダンパ３４が開き、冷却室１４からの冷気が冷蔵室ダクト２３を介して冷蔵室８に供給され、冷蔵室８を冷却した後、冷蔵室戻りダクト３５を介して冷却室１４に吸い込まれ、再び冷却器１５で冷却されて冷蔵室８に供給される循環を繰り返して冷却を行う。
【００４７】
そして、設定温度以上となっていた冷蔵室８あるいは野菜室１１、冷凍室１２が設定温度以下まで冷却されれば圧縮機１８と冷気送風ファン１６が停止し、冷却運転を終える。
【００４８】
以上のようにして冷却が行われるが、この冷蔵庫では冷蔵室８、野菜室１１、冷凍室１２、それにパーシャル室８ａのそれぞれに対応してダンパが設けてあるから、効率的な冷却が可能となる。
【００４９】
そして、上記数あるダンパのうち、そのいくつか、この実施の形態では冷蔵室ダンパ部３４ａとパーシャル室ダンパ部３４ｂを有していて実質的に二つのダンパとなる冷蔵室ダンパ３４を冷蔵室ダクト２３内に設けてあるが、この冷蔵室ダクト２３の内箱背面壁側はダンパカバー２３３が設けてあり、このダンパカバー２３３によって冷蔵室ダンパ３４は気密的に保持され、冷気漏れが生じないようになっている。
【００５０】
すなわち、冷蔵室ダンパ３４をダクトカバー主板２３１ａとの間で挟みこんでいるダンパカバー２３３は、ダクトカバー主板２３１ａの下部、すなわち冷蔵室ダンパ３４を覆うだけの小さなものであるから、内箱背面壁３ａのようなたわみやひずみ等によって変形を起こすことはない。したがって、ダンパカバー２３３の内面と冷蔵室ダンパ３４の外周パッキン３４ｃとは密接状態に維持され、ダンパカバー２３３の内面と冷蔵室ダンパ３４の外周パッキン３４ｃとの間から冷気が漏れるのを防止することができるのである。
【００５１】
また、冷蔵室ダンパ３４を挟みこんでいる他方のダクトカバー主板２３１ａも、上下寸法が長いものの横幅寸法が小さいところから、冷蔵室ダンパ３４と対応する下端部分という小さな範囲内では変形がなく、当該ダクトカバー主板２３１ａの内面と冷蔵室ダンパ３４の外周パッキン３４ｃとは密接状態に維持され、ダクトカバー主板２３１ａの内面と冷蔵室ダンパ３４の外周パッキン３４ｃとの間から冷気が漏れるのを防止することができるのである。この実施の形態では前記ダクトカバー主板２３１ａはその両側部に凸条部２３２を設けているので強度が向上しており、より確実に冷気漏れを防止することができる。
【００５２】
また、前記ダンパカバー２３３はダクトカバー２３１の下方端部に装着し、ダンパカバー２３３とダクトカバー主板２３１ａとでダクト入口部２３４を形成して、当該ダクト入口部２３４にダンパを組み込んだ構成としてあるから、冷蔵室ダンパ３４は仕切板２５の冷蔵室ダクト部２７の開口から供給されてくる冷気を入口部で冷気開閉するようになり、冷気入口部手前から冷気が漏れるというようなことも防止することができる。
【００５３】
特にこの実施の形態では前記ダクト入口側のダンパカバー２３３と内箱背面壁３ａとの間はカバー入口側シールパッキン２３６によってシールしてあるから、仕切板２５の冷蔵室ダクト部２７からの冷気が冷気入口部の手前から内箱背面壁３ａとダンパカバー２３３との間に漏出するのを確実に防止でき、より確実な冷気漏れ防止が実現できる。加えて前記ダクト入口部２３４と仕切板２５の冷蔵室ダクト部２７との接続部は接続部シールパッキン２３５によってシールしてあるから、この部分からの冷気漏れも確実に防止でき、冷蔵室ダクト部２７からの冷気の全量を冷蔵室ダクト２３で確実に制御することができる。
【００５４】
さらに、この冷蔵庫では前記冷蔵室ダクト２３の横に冷蔵室冷気戻り流路２９ａが並設してあるが、この冷蔵室冷気戻り流路２９ａと冷蔵室ダクト２３との間をシール材でシールした構成としてあるから、冷蔵室冷気戻り流路２９ａからの比較的温度の高い冷気が冷蔵室ダクト２３内に混入したり、ダンパカバー２３３と内箱背面壁３ａとの間に流れ込んで結露を起こしたりすることを防止でき、信頼性の高いものとすることができる。
【００５５】
以上のようにして冷蔵室ダクト２３に組み込んだ冷蔵室ダンパ３４の気密を保ち冷気漏れを防止することができるが、本実施の形態の冷蔵庫はさらに幾つかの特徴を備えており、以下これを説明しておく。
【００５６】
まず、この冷蔵庫は、図１３に示す様に、複数設けたダンパのうち、冷蔵室ダンパ３４
は仕切板の冷蔵室ダクト部に接続した冷蔵室ダクト２３に配置し、他方の野菜室ダンパ３０は野菜室ダクト部内に組み込んで図１３に示すように上下に位置ずれした状態としてあるから、冷蔵室ダンパ部３４ａとパーシャル室ダンパ部３４ｂのツインダンパを有する大型の冷蔵室ダンパ３４と野菜室ダンパ３０の三つのダンパを、各通路面積を減じることなく設置することができる。
【００５７】
すなわち、冷蔵室ダンパ３４を構成する冷蔵室ダンパ部３４ａとパーシャル室ダンパ部３４ｂそして野菜室ダンパ３０の三つのダンパを同一平面上に設置するとその横幅が大きくなる。そのため、設置場所が仕切板横幅寸法内の限られた範囲内となると、各ダンパの通路面積を減じる必要が生じる。しかしながら、この実施の形態では冷蔵室ダンパ部３４ａとパーシャル室ダンパ部３４ｂとを有する冷蔵室ダンパ３４と野菜室ダンパ３０とは上下位置ずれさせて設けてあるから、その一部分をオーバーラップさせることができる。この実施の形態では図１１に示すようにパーシャル室ダンパ部３４ｂと野菜室ダンパ３０をオーバーラップさせている。したがって、このオーバーラップさせた分をダンパ通路面積として確保でき、ダンパ通路面積を減じることなく限られた範囲内に三つのダンパを設置することができる。これにより、ダンパ通路部での通路抵抗の増加による冷気供給量の低下を防止でき、三つのダンパを仕切板２５後部に集中配置して構成の合理化を図りつつも良好な冷却性能を維持することができる。
【００５８】
また、冷蔵室ダンパ３４を冷蔵室ダクト内に設置したことによって冷蔵室ダンパ３４のパーシャル室ダンパ部３４ｂは冷蔵室下部のパーシャル室８ａと対向するようになり、パーシャル室ダンパ部３４ｂからパーシャル室８ａまでの通路長さを減じてその通路抵抗を減少させることができる。したがってパーシャル室８ａへ冷気を効率よく供給することができるようになってパーシャル室８ａの冷却性能を向上させることができる。
【００５９】
一方、野菜室ダンパ３０は冷却室１４よりも上方の冷蔵室８下部の仕切板２５の後部に組み込んであって、野菜室１１から距離的かつ熱的に遠く離れた形となっている。そのため前記野菜室ダンパ３０に野菜室１１内の高温冷気が触れて結露しこれが凍結して野菜室ダンパ３０が動作不良を起こすようなことを未然に防止できる。
【００６０】
また、野菜室ダンパ３０は冷却室１４よりも上方に位置しているので、除霜時に前記冷却室１４内で結露水が発生してこれが冷却室内壁を流下するようなことがあっても、この結露水が野菜室ダンパ３０に付着し、凍結することもなくなる。したがって、除霜時の結露水付着とこれの凍結による野菜室ダンパ３０の動作不良も確実に防止することができる。
【００６１】
加えてこの実施の形態では、前記冷蔵室ダクト２３は冷却室１４から冷蔵室８に向けて冷蔵室ダクト部２７を介し上向きに形成するとともに、野菜室ダクト２４は前記冷蔵室ダクト２３の仕切板貫通部分から分岐して野菜室１１に向け下向きに形成し、かつ、野菜室ダンパ３０は前記野菜室ダクト２４の分岐部に組み込んだ構成としてあるから、冷蔵室ダクト２３と野菜室ダクト２４との分岐部及び、冷蔵室ダクト部２７、野菜室ダクト部２８、冷蔵室冷気戻りダクト部２９の各ダクト通路部を仕切板後部に集中させて、これらの複雑な構成を仕切板単独状態で形成することができ、生産性を向上させることができる。また、上記構成によって、仕切板後部の分岐および通路構成の異なるものを複数準備しておき、この複数の仕切板２５を取り換えることによって異なるタイプの冷蔵庫を生産することもでき、生産コストの低減を図って大幅なコストダウンを実現することができる。
【００６２】
さらに、上記仕切板２５は、冷蔵室ダクト部２７と当該冷蔵室ダクト部２７から分岐した野菜室ダクト部２８とを有するとともに、前記野菜室ダクト部２８に野菜室ダンパ３０を組み込んだ分岐ユニット２６を組み込む構成としてあるから、分岐ユニット２６を仕切
板２５に組み込むだけで複雑な分岐部構成及びダクト通路部構成が形成できることになり、生産性のさらなる向上が図れ、一段のコストダウンが実現できる。
【００６３】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【００６４】
例えば、本実施の形態では、冷蔵庫本体１に冷蔵室８、冷凍室１２、野菜室１１とともに切替室９、製氷室１０、パーシャル室８ａを備え、そのそれぞれにダンパを設けたものを例示して説明したが、ダンパの幾つかは一つにして兼用してもよいものであり、複数備えたダンパの少なくとも一つを冷蔵室ダンパに設けたものであればよい。
【産業上の利用可能性】
【００６５】
本発明は、ダンパを冷蔵室ダクト内に気密に組み込むことができて冷気漏れを防止でき、冷却効率の高い冷蔵庫とすることができる。よって家庭用および業務用など様々な種類および大きさの冷蔵庫に広く適用可能である。
【符号の説明】
【００６６】
１  冷蔵庫本体
１ａ  低壁面
２  外箱
３  内箱
３ａ  背面壁（内箱背面壁）
４  発泡断熱材
５、６、７  扉
８  冷蔵室
８ａ  パーシャル室
９  切替室
１０  製氷室
１１  野菜室
１２  冷凍室
１４  冷却室
１５  冷却器
１６  冷気送風ファン
１７  除霜手段
１８  圧縮機
２０  区画壁
２１  冷凍冷気供給口
２２  冷凍室ダンパ
２２ｂ  冷凍冷気戻り口
２３  冷蔵室ダクト
２３ａ  冷蔵室用冷気吹出し口
２３ｂ  パーシャル室用冷気吹出し口
２３１  ダクトカバー
２３１ａ  ダクトカバー主板
２３１ｂ  ダクトカバー表面板
２３２  凸条部（両側凸条部）
２３３  ダンパカバー
２３４  ダクト入口部
２３５  接続部シールパッキン
２３６  カバー入口側シールパッキン
２３７  戻り冷気漏出防止シールパッキン
２３８  カバー出口側シールパッキン
２４  野菜室ダクト
２４ａ  開口
２５、３６  仕切板
２６  分岐ユニット
２７  冷蔵室ダクト部
２８  野菜室ダクト部
２９  冷蔵室冷気戻りダクト部
２９ａ  冷蔵室冷気戻り流路
３０  野菜室ダンパ
３１  蓋体
３２  下板
３３  上板
３４  冷蔵室ダンパ
３４ａ  冷蔵室ダンパ部
３４ｂ  パーシャル室ダンパ部
３４ｃ  外周パッキン
３５  冷蔵室戻りダクト
４１  野菜室戻り風路
【図１】
2015055363.tif 000003
【図２】
2015055363.tif 000004
【図３】
2015055363.tif 000005
【図４】
2015055363.tif 000006
【図５】
2015055363.tif 000007
【図６】
2015055363.tif 000008
【図７】
2015055363.tif 000009
【図８】
2015055363.tif 000010
【図９】
2015055363.tif 000011
【図１０】
2015055363.tif 000012
【図１１】
2015055363.tif 000013
【図１２】
2015055363.tif 000014
【図１３】
2015055363.tif 000015
【図１４】
2015055363.tif 000016